(57)【要約】【課題】施錠・開錠を確実に行うことができ、優れた外観を有する施錠装置の提供。【解決手段】一方の枠体の外部に回動可能に設けられた操作レバーＣと、一方の枠体及び他方の枠体の内部に、閉状態において互いに対向するよう固定された第１のケースＥ及び第２のケースＤを備え、操作レバーＣから延びた連結棒Ｃ１を第１のケースＥ内に挿入し、連結棒Ｃ１の先端部にフック部材Ｃ２を、操作レバーＣの回転に連動して第１のケースＥ及び一方の枠体から出没するよう取付け、第２のケースＤ内に、フック部材Ｃ２とその回転に伴って着脱自在に係合する固定棒Ｄ２を設けると共に、フック部材Ｃ２を前記固定棒Ｄ２に案内するガイド片Ｄ１を設ける。【選択図】図５
0003122142.tif 000002
【実用新案登録請求の範囲】
【請求項１】
一対の枠体を閉状態で固定する施錠装置であって、一方の枠体の外部に回動可能に設けられた操作レバーと、一方の枠体及び他方の枠体の内部に、閉状態において互いに対向するよう固定された第１のケース及び第２のケースとを備え、前記操作レバーから延びた連結棒を前記第１のケース内に挿入し、該連結棒の先端部にフック部材を、前記操作レバーの回転に連動して前記第１のケース及び一方の枠体から出没するよう取付け、前記第２のケース内に、前記フック部材とその回転に伴って着脱自在に係合する固定棒を設けると共に、前記フック部材を前記固定棒に案内するガイド片を設けたことを特徴とする施錠装置。
【請求項２】
前記枠体が窓、木戸、金属ドア等の建具の枠である請求項１に記載の施錠装置。
【考案の詳細な説明】
【技術分野】
【０００１】
本考案は、建具等の施錠装置に関する。
【背景技術】
【０００２】
図１及び図２に示すように、一般的な引き違い窓の施錠装置Ａは、一方の窓枠Ａ１の側辺部に設置されたベース部Ａ２と、ベース部Ａ２に回動可能に取付けられた操作レバーＡ３と、操作レバーＡ３に固定されたフック部Ａ４と、他方の窓枠Ａ１のベース部Ａ１と対応した位置に設けられた被係合部Ａ５とを備え、操作レバーＡ３を回転させてフック部Ａ４と被係合部Ａ５とを係脱し、施錠及び開錠するようになっている。
しかし、上記従来の施錠装置Ａは、長期間使用すると、窓枠Ａ１の変形や物品がぶつかった衝撃等によって、フック部Ａ４と被係合部Ａ５との位置がずれ、施錠及び開錠をし難くなる。
【考案の開示】
【考案が解決しようとする課題】
【０００３】
本考案が解決しようとする課題は、施錠・開錠を確実に行うことができ、優れた外観を有する施錠装置を提供することにある。
【課題を解決するための手段】
【０００４】
本考案の施錠装置は、一対の枠体を閉状態で固定するものであって、一方の枠体の外部に回動可能に設けられた操作レバーと、一方の枠体及び他方の枠体の内部に、閉状態において互いに対向するよう固定された第１のケース及び第２のケースとを備え、前記操作レバーから延びた連結棒を前記第１のケース内に挿入し、該連結棒の先端部にフック部材を、前記操作レバーの回転に連動して前記第１のケース及び一方の枠体から出没するよう取付け、前記第２のケース内に、前記フック部材とその回転に伴って着脱自在に係合する固定棒を設けると共に、前記フック部材を前記固定棒に案内するガイド片を設けてある。
前記枠体は窓、木戸、金属ドア等の建具の枠である。
【考案の効果】
【０００５】
本考案によれば、操作レバー以外の部分は枠体の内部に収納されているので、外観がすっきりとして美しく、物品がぶつかった衝撃等によって変形する心配も無い。
また、枠体が多少変形しても、フック部材はガイド片に案内されるので、確実に施錠することができる。
【考案を実施するための最良の形態】
【０００６】
以下、引き違い窓の施錠装置である実施例について、図面に基づき詳細に説明する。
図３、図４及び図７に示すように、施錠装置Ｂは、操作レバーＣ、一方（図７の右方）の窓枠Ｆ１の内部に固定された第１のケースＥ、及び、他方（図７の左方）の窓枠Ｆ２の内部に固定された第２のケースＤを備える。
操作レバーＣの一端からは、連結棒Ｃ１が操作レバーＣの軸線と直交するよう延び、連結棒Ｃ１の先端部外周に歯車付きフック部材Ｃ２が連動して回転するよう嵌合されている。歯車付きフック部材Ｃ２の外周からは、フック部Ｃ３が径方向に張り出している。
【０００７】
第１のケースＥと第２のケースＤとは、窓枠Ｆ１，Ｆ２を閉じた状態で対向するよう設置され、ケースＥ，Ｄの対向する面及びこれに一致する窓枠Ｆ１，Ｆ２の部分は開口している。
第１のケースＥの側面には、連結棒Ｃ１を通すための孔Ｅ１が穿設されており、窓枠Ｆ１の外部に配置されている操作レバーＣの連結棒Ｃ１が、窓枠Ｆ１及び孔Ｅ１を通して第１のケースＥの内部に挿入されている。
また、第１のケースＥ内には歯車付きフック部材Ｃ２が収納され、歯車付きフック部材Ｃ２の回転に伴って、フック部Ｃ３が第１のケースＥ及び窓枠Ｆ１の開口面を通して出没するようになっている。
【０００８】
第１のケースＥには、歯車付きフック部材Ｃ２の歯車と噛み合うラック部材Ｇが摺動可能に、且つ、窓枠Ｆ１に沿って挿通されている。
このラック部材Ｇは、第１のケースＥに密着して挿通されているので、強い力を加えないと摺動しないようになっている。
第２のケースＤの内部には、第１のケースＥ及び一方の窓枠Ｆ１から突出して回動するフック部Ｃ３を案内する一対のガイド片Ｄ１が間隔をあけて設置され、ガイド片Ｄ１の間には、フック部Ｃ３と着脱可能に係合する固定棒Ｄ２が架設されている。
【０００９】
図５に示すように、操作レバーＣが下方に延びている状態では、歯車付きフック部材Ｃ２のフック部Ｃ３が第１のケースＥ内に没入しており、固定棒Ｄ２との係合は解除されている。
従って、施錠装置Ｂは作動しておらず、一方の窓枠Ｆ１と他方の窓枠Ｆ２とは自由に移動させることができる。
【００１０】
窓枠Ｆ１，Ｆ２を閉じた状態で、図８の矢印で示すように操作レバーＣを上方へ回動させると、図６に示すように、操作レバーＣの回転に連動して歯車付きフック部材Ｃ２も回転し、フック部Ｃ３が第１のケースＥ及び一方の窓枠Ｆ１から突出して、他方の窓枠Ｆ２及び第２のケースＤ内に進入する。
そして、フック部Ｃ３は一対のガイド片Ｄ１の間を通って固定棒Ｄ２に案内され、フック部Ｃ３と固定棒Ｄ２が係合し、施錠される。
【００１１】
同時に、歯車付きフック部材Ｃ２と噛み合っているラック部材Ｇが押し上げられるが、操作レバーＣを解放しても、第１のケースＥに密着しているラック部材Ｇが降下することは無く、歯車付きフック部材Ｃ２の回転が規制されて、操作レバーＣもその位置で停止する。
そして、操作レバーＣを強制的に逆回転させた場合のみに、歯車付きフック部材Ｃ２が回転し、ラック部材Ｇを押し下げて開錠することができる。
【図面の簡単な説明】
【００１２】
【図１】従来の施錠装置を設置した引き違い窓の斜視図。
【図２】図１の要部拡大図。
【図３】本考案の実施例を示す施錠装置の斜視図。
【図４】本考案の実施例を示す施錠装置の分解斜視図。
【図５】開錠状態における斜視図。
【図６】施錠状態における斜視図。
【図７】本考案の実施例に係る引き違い窓の斜視図。
【図８】図７の要部拡大図。
【符号の説明】
【００１３】
Ｂ  施錠装置
Ｃ  操作レバー
Ｃ１  連結棒
Ｃ２  歯車付きフック部材
Ｃ３  フック部
Ｄ  第２のケース
Ｄ１  ガイド片
Ｄ２  固定棒
Ｅ  第１のケース
Ｅ１  孔
Ｆ１  一方の窓枠
Ｆ２  他方の窓枠
Ｇ  ラック部材
【図１】
0003122142.tif 000003
【図２】
0003122142.tif 000004
【図３】
0003122142.tif 000005
【図４】
0003122142.tif 000006
【図５】
0003122142.tif 000007
【図６】
0003122142.tif 000008
【図７】
0003122142.tif 000009
【図８】
0003122142.tif 000010